【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
複数種類の映像信号方式に従う映像信号を生成する撮像手段と、
前記複数種類の映像信号のうちの一つを選択する映像選択手段と、
前記撮像手段により生成された複数種類の映像信号の中から、前記映像選択手段により選択された種類の映像信号を記録媒体に記録する記録手段と、
前記記録媒体が前記映像信号の記録フォーマットに応じた初期化済であるか否かを検出する初期化検出手段と、
前記初期化検出手段により初期化済であると検出された記録媒体の記録フォーマットの種類を検出する記録フォーマット検出手段と、
前記記録フォーマット検出手段により検出した記録フォーマットが、前記映像選択手段により選択されている種類の映像信号を記録可能な記録フォーマットであるか否かを判別し、前記選択された映像信号を記録可能な記録フォーマットでない場合に、前記記録媒体の記録フォーマットにて記録可能な種類の映像信号を生成するように前記撮像手段を制御する制御手段とを有することを特徴とする撮像装置。
【請求項２】
複数種類の映像信号方式に従う映像信号を生成する撮像手段と、
前記複数種類の映像信号のうちの一つを選択する映像選択手段と、
前記撮像手段により生成された複数種類の映像信号の中から、前記映像選択手段により選択された種類の映像信号を記録媒体に記録する記録手段と、
前記記録媒体が前記映像信号の記録フォーマットに応じた初期化済であるか否かを検出する初期化検出手段と、
前記初期化検出手段により初期化済であると検出された記録媒体の記録フォーマットの種類を検出する記録フォーマット検出手段と、
前記映像信号を記録するために本体に装着された記録媒体を排出する記録媒体排出手段と、
前記記録フォーマット検出手段により検出した記録フォーマットが、前記映像選択手段により選択されている種類の映像信号を記録可能な記録フォーマットであるか否かを判別し、前記選択された映像信号を記録可能な記録フォーマットでない場合に、前記本体に装着された記録媒体を排出するように前記記録媒体排出手段を制御する制御手段とを有することを特徴とする撮像装置。
【請求項３】
複数種類の映像信号方式に従う映像信号を生成する撮像手段と、
前記複数種類の映像信号のうちの一つを選択する映像選択手段と、
前記撮像手段により生成された複数種類の映像信号の中から、前記映像選択手段により選択された種類の映像信号を記録媒体に記録する記録手段と、
前記記録媒体が前記映像信号の記録フォーマットに応じた初期化済であるか否かを検出する初期化検出手段と、
前記初期化検出手段により初期化済であると検出された記録媒体の記録フォーマットの種類を検出する記録フォーマット検出手段と、
前記記録媒体を初期化するか否かをユーザーに選択させる初期化選択手段と、
前記記録媒体を初期化する初期化手段と、
前記記録フォーマット検出手段により検出した記録フォーマットが、前記映像選択手段により選択されている種類の映像信号を記録可能な記録フォーマットであるか否かを判別し、前記選択された映像信号を記録可能な記録フォーマットでない場合に、前記映像信号を記録するために本体に装着された記録媒体を初期化するか否かをユーザーに選択させるように前記初期化選択手段を制御するとともに、前記記録媒体を初期化することをユーザーが選択した場合に、前記記録媒体を初期化するように前記初期化手段を制御する制御手段とを有することを特徴とする撮像装置。
【請求項４】
前記記録フォーマット検出手段により検出した記録フォーマットが、前記映像選択手段により選択されている種類の映像信号を記録可能な記録フォーマットでない場合に、その旨を示す情報を表示装置に表示する表示手段とを有することを特徴とする請求項１〜３の何れか１項に記載の撮像装置。
【請求項５】
前記記録媒体は光学ディスクであり、前記フォーマットは、ファイルフォーマットと映像信号の記録方式との組み合わせからなる記録フォーマットであることを特徴とする請求項１〜４の何れか１項に記載の撮像装置。
【請求項６】
複数種類の映像信号方式に従う映像信号を生成する撮像工程と、
前記複数種類の映像信号のうちの一つを選択する映像選択工程と、
前記撮像工程において生成された複数種類の映像信号の中から、前記映像選択工程において選択された種類の映像信号を記録媒体に記録する記録工程と、
前記記録媒体が前記映像信号の記録フォーマットに応じた初期化済であるか否かを検出する初期化検出工程と、
前記初期化検出工程において初期化済であると検出された記録媒体の記録フォーマットの種類を検出する記録フォーマット検出工程と、
前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記記録媒体の記録フォーマットにて記録可能な種類の映像信号を生成するように前記撮像工程の映像信号生成方式を制御する制御工程とを有することを特徴とする撮像装置の制御方法。
【請求項７】
複数種類の映像信号方式に従う映像信号を生成する撮像工程と、
前記複数種類の映像信号のうちの一つを選択する映像選択工程と、
前記撮像工程において生成された複数種類の映像信号の中から、前記映像選択工程において選択された種類の映像信号を記録媒体に記録する記録工程と、
前記記録媒体が前記映像信号の記録フォーマットに応じた初期化済であるか否かを検出する初期化検出工程と、
前記初期化検出工程において初期化済であると検出された記録媒体の記録フォーマットの種類を検出する記録フォーマット検出工程と、
前記映像信号を記録するために本体に装着された記録媒体を排出する記録媒体排出工程と、
前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記本体に装着された記録媒体を排出するように前記記録媒体排出工程の記録媒体排出動作を制御する制御工程とを有することを特徴とする撮像装置の制御方法。
【請求項８】
複数種類の映像信号方式に従う映像信号を生成する撮像工程と、
前記複数種類の映像信号のうちの一つを選択する映像選択工程と、
前記撮像工程において生成された複数種類の映像信号の中から、前記映像選択工程において選択された種類の映像信号を記録媒体に記録する記録工程と、
前記記録媒体が前記映像信号の記録フォーマットに応じた初期化済であるか否かを検出する初期化検出工程と、
前記初期化検出工程において初期化済であると検出された記録媒体の記録フォーマットの種類を検出する記録フォーマット検出工程と、
前記記録媒体を初期化するか否かをユーザーに選択させる初期化選択工程と、
前記記録媒体を初期化する初期化工程と、
前記記録フォーマット検出工程において検出した記録フォーマットが、前記映像選択工程において選択されている種類の映像信号を記録可能な記録フォーマットであるか否かを判別し、前記選択された映像信号を記録可能な記録フォーマットでない場合に、前記記録媒体を初期化することがユーザーにより選択された際に、前記記録媒体を初期化するように前記初期化工程の初期化動作を制御する制御工程とを有することを特徴とする撮像装置の制御方法。
【手続補正２】
【補正対象書類名】明細書
【補正対象項目名】００１４
【補正方法】変更
【補正の内容】
【００１４】
本発明の撮像装置は、複数種類の映像信号方式に従う映像信号を生成する撮像手段と、
前記複数種類の映像信号のうちの一つを選択する映像選択手段と、前記撮像手段により生成された複数種類の映像信号の中から、前記映像選択手段により選択された種類の映像信号を記録媒体に記録する記録手段と、前記記録媒体が前記映像信号の記録フォーマットに応じた初期化済であるか否かを検出する初期化検出手段と、前記初期化検出手段により初期化済であると検出された記録媒体の記録フォーマットの種類を検出する記録フォーマット検出手段と、前記記録フォーマット検出手段により検出した記録フォーマットが、前記映像選択手段により選択されている種類の映像信号を記録可能な記録フォーマットであるか否かを判別し、前記選択された映像信号を記録可能な記録フォーマットでない場合に、前記記録媒体の記録フォーマットにて記録可能な種類の映像信号を生成するように前記撮像手段を制御する制御手段とを有することを特徴とする。
また、本発明の撮像装置の他の特徴とするところは、複数種類の映像信号方式に従う映像信号を生成する撮像手段と、前記複数種類の映像信号のうちの一つを選択する映像選択手段と、前記撮像手段により生成された複数種類の映像信号の中から、前記映像選択手段により選択された種類の映像信号を記録媒体に記録する記録手段と、前記記録媒体が前記映像信号の記録フォーマットに応じた初期化済であるか否かを検出する初期化検出手段と、前記初期化検出手段により初期化済であると検出された記録媒体の記録フォーマットの種類を検出する記録フォーマット検出手段と、前記映像信号を記録するために本体に装着された記録媒体を排出する記録媒体排出手段と、前記記録フォーマット検出手段により検出した記録フォーマットが、前記映像選択手段により選択されている種類の映像信号を記録可能な記録フォーマットであるか否かを判別し、前記選択された映像信号を記録可能な記録フォーマットでない場合に、前記本体に装着された記録媒体を排出するように前記記録媒体排出手段を制御する制御手段とを有することを特徴とする。
また、本発明の撮像装置のその他の特徴とするところは、複数種類の映像信号方式に従う映像信号を生成する撮像手段と、前記複数種類の映像信号のうちの一つを選択する映像選択手段と、前記撮像手段により生成された複数種類の映像信号の中から、前記映像選択手段により選択された種類の映像信号を記録媒体に記録する記録手段と、前記記録媒体が前記映像信号の記録フォーマットに応じた初期化済であるか否かを検出する初期化検出手段と、前記初期化検出手段により初期化済であると検出された記録媒体の記録フォーマットの種類を検出する記録フォーマット検出手段と、前記記録媒体を初期化するか否かをユーザーに選択させる初期化選択手段と、前記記録媒体を初期化する初期化手段と、前記記録フォーマット検出手段により検出した記録フォーマットが、前記映像選択手段により選択されている種類の映像信号を記録可能な記録フォーマットであるか否かを判別し、前記選択された映像信号を記録可能な記録フォーマットでない場合に、前記映像信号を記録するために本体に装着された記録媒体を初期化するか否かをユーザーに選択させるように前記初期化選択手段を制御するとともに、前記記録媒体を初期化することをユーザーが選択した場合に、前記記録媒体を初期化するように前記初期化手段を制御する制御手段とを有することを特徴とする。
【手続補正３】
【補正対象書類名】明細書
【補正対象項目名】００１６
【補正方法】削除
【補正の内容】